(57)【要約】【課題】手術用ガーゼ毎に、この手術用ガーゼを一意に特定できる手段を持たせ、リアルタイムに回収済みの各ガーゼを確認し、全てのガーゼの存在を把握することが可能な手術用ガーゼを提供する。【解決手段】本発明の手術用ガーゼは、所定の材料で形成されたガーゼ５と、このガーゼ５に取り付けてあって、少なくとも、ＩＣチップ、及びこのＩＣチップが外部の読取装置と非接触で通信を行うためのアンテナを備えた非接触ＩＣタグ１とを有することを特徴とする。【選択図】　　　図１
2004121412.tif 000002
【特許請求の範囲】
【請求項１】
所定の材料で形成されたガーゼと、
該ガーゼに取り付けてあって、少なくとも、集積回路チップ、及び該集積回路チップが外部の読取装置と非接触で通信を行うためのアンテナを備えた非接触ＩＣモジュールと、
を有することを特徴とする手術用ガーゼ。
【請求項２】
前記集積回路チップが取り付けられているガーゼを特定する情報であるガーゼ識別情報が、該集積回路チップのメモリに記憶されてこと、を特徴とする請求項１記載の手術用ガーゼ。
【請求項３】
前記ガーゼが使用される手術を特定する情報である手術識別情報か、又は、該手術を受ける患者を特定する情報である患者識別情報の、少なくともいずれかを含む手術情報が、該ガーゼに取り付けてある前記集積回路チップのメモリに記憶されていること
を特徴とする請求項１又は請求項２のいずれかに記載の手術用ガーゼ。
【請求項４】
請求項１乃至請求項３いずれかに記載の手術用ガーゼに取り付けてある前記集積回路チップのメモリに記憶してある識別情報を用いて、手術に使用される手術用ガーゼの管理を行うことを特徴とする手術用ガーゼの管理装置。
【請求項５】
請求項１乃至請求項３いずれかに記載の手術用ガーゼに取り付けてある前記集積回路チップのメモリに記憶してある情報を、非接触による通信で読みとる読取手段と、
その手術用に用意してある全ての該手術用ガーゼを特定する情報である開始時ガーゼ情報と、
該手術用ガーゼのうち回収された分のそれぞれの該集積回路チップから、読取手段によって読み取られた情報である回収済みガーゼ情報とを比較する比較手段と、
を有することを特徴とする手術用ガーゼの管理装置。
【請求項６】
前記比較によって得られたデータを用いて、少なくとも、未回収となっている手術用ガーゼの、有無かまたは枚数のいずれかを見出す判定手段と、
を有することを特徴とする請求項５に記載の手術用ガーゼの管理装置。
【請求項７】
前記比較によって得られたデータを用いて、少なくとも、未回収となっている手術用ガーゼのガーゼ識別情報か、又は、集積回路チップの識別情報のいずれかを見出す判定手段と、
を有することを特徴とする請求項５に記載の手術用ガーゼの管理装置。
【請求項８】
回収された前記手術用ガーゼの前記集積回路チップのメモリに記憶されている識別情報と、前記読取手段で読みとるたびに、前記開始時ガーゼ情報と比較すること、
を特徴とする請求項４乃至７のいずれかに記載の手術用ガーゼの管理装置。
【請求項９】
前記手術の為に用意した前記手術用ガーゼのそれぞれに取り付けてある集積回路チップのメモリに、それぞれ識別情報を書込む書込手段を有すること、
を特徴とする請求項４乃至８のいずれかに記載の手術用ガーゼの管理装置。
【発明の詳細な説明】
【０００１】
【発明の属する技術分野】
本発明は、手術用ガーゼ及びその管理方法に関するものである。
【０００２】
【従来の技術】
外科手術に使用される手術用ガーゼは、１回の手術に数十枚〜百枚以上も使用されるが、外科手術中に臓器間に入り込んだりした場合、血液に染まって臓器と識別することが困難になることが多く、手術終了時にガーゼの取り出し忘れるという重大なミスが発生する場合が、新聞などの報道において時々見受けられる。
【０００３】
この重大なミスを防ぐため、各病院においては手術マニュアルとして、手術前に用意したガーゼの枚数と、手術に使用して回収したガーゼの枚数と未使用のガーゼの枚数を正確に数えて比較し、全てのガーゼが回収できたか否かの確認を行よう努めていた。
しかしながら、手術の緊急度による状況によっては、術中の混乱に紛れて使用枚数と回収枚数の数え間違えが起きる可能性が全くないとは言い切れない。
その結果、上述したように各種報道されているように、体内にガーゼを残したまま気づかずに手術を終了してしまうという事故が発生している。
【０００４】
このような事故を防ぐため、人の手によるガーゼ枚数の確認と共に、バリウム化合物等の造影剤を含有した塩化ビニル樹脂等の柔軟なワイヤーを編み込んだ特殊なガーゼを使用することが行われている。
これにより、万が一手術後ガーゼが体内に残った場合でも、手術後の人体をＸ線検査することによりガーゼを検出することができ、ガーゼの摘出処置を行い、さらに重大な事故を未然に防ぐといった方法が一般的にとられている。
【０００５】
また、検出可能な金属材料が取り付けられているガーゼを用いて手術後、前述の患者に放射線を浴びせるＸ線検査ではなく、渦電流を利用した金属探知器や盗難防止用磁性ワイヤー検知用の電子式ディテクターにより検知して、前述のＸ線検査同様に、人体内のガーゼの検知が行えるための方法も提案されている（特許文献１）。
【特許文献１】
特開平１０−２７７０８２号公報
【０００６】
【発明が解決しようとする課題】
しかしながら、上述した造影剤を用いてＸ線検査する方法は、体内にガーゼが残っていることの検知が確かに行えるが、一旦、例えば閉腹して手術終了とし、手術室を出た後のＸ線検査でしか、体内に放置されたガーゼの検知を行うことが出来ない欠点がある。
【０００７】
このため、従来のＸ線検査する方法は、万が一ガーゼが残っていることが検出された場合、再度、開腹手術を行い、体内に残されているガーゼを探索し、検索された放置ガーゼを取り除かなくてはならないため、患者への身体的、精神的な負担が加わり、状況によっては再手術の患者に与える負荷が大きくなるという問題を有している。
【０００８】
また、従来のＸ線検査する方法は、ガーゼの検出を人が目でみて判断するため、ガーゼに埋め込まれたワイヤーの角度によっては、他の臓器のＸ線像と区別が付きづらく見逃す可能性が全くないとは言えず、ガーゼが体内に放置される事故発生の可能性が限りなくゼロに近いとは言えない欠点がある。
【０００９】
一方、検出可能な金属材料が取り付けられているガーゼを用いる方法は、手術後、Ｘ線検査のように人間の目で観察するのではなく、渦電流を利用した金属探知器や盗難防止用磁性ワイヤー検知用の電子式ディテクターにより検知することにより、閉腹前の手術終了直前に、体内のガーゼの有無を確認し、ガーゼを取り除く方法であるため、電気的検知という意味で事故防止の確立は高まる。
【００１０】
しかしながら、金属材料が取り付けられたガーゼを用いる方法は、人間の体内の金属ワイヤーを遠隔で検出するため、Ｘ線造影剤ワイヤーと同様に、探知機に対する金属ワイヤの角度によっては検出感度が極端に落ちることがあり、見逃して事故に至る可能性は限りなくゼロに近いとは言い切れない。
【００１１】
本発明はこのような背景の下になされたもので、手術用ガーゼ毎に、各手術用ガーゼを一意に特定できる手段を持たせ、手術中にリアルタイムに回収済みの各ガーゼを確認でき、ガーゼの回収ミスによる不測の事故の予防に効果的な手術用ガーゼとその管理装置を提供することにある。
【００１２】
【課題を解決するための手段】
本発明の手術用ガーゼは、所定の材料で形成されたガーゼと、該ガーゼに取り付けてあって、少なくとも、集積回路チップ、及び該集積回路チップが外部の読取装置と非接触で通信を行うためのアンテナを備えた非接触ＩＣモジュールと、を有することを特徴とする。
本発明の手術用ガーゼは、前記集積回路チップが取り付けられているガーゼを特定する情報であるガーゼ識別情報が、該集積回路チップのメモリに記憶されてことを特徴とする。
【００１３】
本発明の手術用ガーゼは、前記ガーゼが使用される手術を特定する情報である手術識別情報か、又は、該手術を受ける患者を特定する情報である患者識別情報の、少なくともいずれかを含む手術情報が、該ガーゼに取り付けてある前記集積回路チップのメモリに記憶されていることを特徴とする。
本発明の手術用ガーゼの管理装置は、上記記載の手術用ガーゼに取り付けてある前記集積回路チップのメモリに記憶してある識別情報を用いて、手術に使用される手術用ガーゼの管理を行うことを特徴とする。
【００１４】
本発明の手術用ガーゼの管理装置は、上記記載の手術用ガーゼに取り付けてある前記集積回路チップのメモリに記憶してある情報を、非接触による通信で読みとる読取手段と、その手術用に用意してある全ての該手術用ガーゼを特定する情報である開始時ガーゼ情報と、該手術用ガーゼのうち回収された分のそれぞれの該集積回路チップから、読取手段によって読み取られた情報である回収済みガーゼ情報とを比較する比較手段とを有することを特徴とする。
【００１５】
本発明の手術用ガーゼの管理装置は、前記比較によって得られたデータを用いて、少なくとも、未回収となっている手術用ガーゼの、有無かまたは枚数のいずれかを見出す判定手段とを有することを特徴とする。
本発明の手術用ガーゼの管理装置は、前記比較によって得られたデータを用いて、少なくとも、未回収となっている手術用ガーゼのガーゼ識別情報か、又は、集積回路チップの識別情報のいずれかを見出す判定手段とを有することを特徴とする。
【００１６】
本発明の手術用ガーゼの管理装置は、回収された前記手術用ガーゼの前記集積回路チップのメモリに記憶されている識別情報と、前記読取手段で読みとるたびに、前記開始時ガーゼ情報と比較すること、を特徴とする。
本発明の手術用ガーゼの管理装置は、前記手術の為に用意した前記手術用ガーゼのそれぞれに取り付けてある集積回路チップのメモリに、それぞれ識別情報を書込む書込手段を有することを特徴とする。
【００１７】
【発明の実施の形態】
本発明の手術用ガーゼは、非接触ＩＣモジュールの代表例として、集積回路チップ（ＩＣチップ２）と非接触通信用アンテナ（導電性材料を用いたアンテナ３）を備えた非接触ＩＣモジュール（基板も含めてＩＣタグ１）、もしくは、集積回路チップ（集積回路部７）と、非接触通信用アンテナ（導電性材料を用いたアンテナ８）をＳｉ（シリコン）ウェハ基板上に作成した非接触ＩＣモジュール（基板も含めてＩＣタグ６）を使用し、手術用に適するガーゼ１０もしくは２０に取り付けたものである。
本発明では、非接触ＩＣモジュール（ＩＣタグ）は必ずしも限定されるものではないが、いわゆるＲＦＩＤのものが好適である。尚、手術に利用することを考慮して、使用する電波の出力や周波数は、手術用の機器や人体に影響を及ぼさない程度の範囲で適宜採用すればよい。また、外部の読取装置（読取手段）や書込装置（書込手段）は、別個のものでも、あるいは、両者が兼用される方式のものでも、いずれでもよい。
【００１８】
ここで、通常の手術用ガーゼとしては、４０番手の順良な綿糸を平織りし、脱脂、消毒したものが用いられる。
各手術の際には、衛生管理された容器等に、適当な数のこれらのガーゼが用意される。手術が終了した時、これらのガーゼは使用状況等によって３つに分類できる。
すなわち、［１］用意されたガーゼの内の一部か又は全部であって、本来の目的（手術の際に血液を拭う等）に使用された分、［２］結果的にその手術では使用されないまま容器等に残ってしまった分（該当数が０枚の場合もあり得る）、そして、［３］上記［１］及び［２］以外に該当するもので、手術の本来の目的には使用されず、且つ上記容器類にも残らなかった分（該当数が０枚の場合もあり得る）、である。ここで、［３］の例としては、ガーゼを取り出そうとした際に過って床に落とされてしまったガーゼの場合、等である。
つまるところ、容器等に残っておらず且つ未回収であるガーゼは、通常は、手術に使用されてその患者の体内に在るという状況か、又は、その他の状況（床に落ちたままになっている等）のいずれかであると考えられる。
以下、図面を参照して本発明の実施形態について説明する。
【００１９】
＜第１の実施形態＞
図１は本発明の第１の実施形態による手術用ガーゼ１０の構成例を示す概念図である。
この図において、５は所定の材料、例えば３０ｃｍ角の手術用ガーゼであり、１はＩＣタグである。
このＩＣタグ１は、３０ｃｍ角のガーゼ５の一角に設置した後、カバー用ガーゼでガーゼ５とともに縫い合わせて、このガーゼ５に固定されている。
そして、ガーゼ５は、上記ＩＣタグ１が固定された後に、脱脂、消毒されることにより手術用ガーゼ１０として製造されることとなる。
【００２０】
ここで、ＩＣタグ１は、非接触ＩＣモジュールを有しており、ＩＣチップ２とアンテナ３を構成要素に含んでいる。
ＩＣチップ２は、通信周波数として、周囲の手術用機器に影響を与えない微弱な出力強度による、２．４５ＧＨｚ周波数帯域のマイクロ波を用いた非接触データ通信用の集積回路チップである。尚、本発明で言う集積回路は、ＩＣの他にＬＳＩ等を含む総称である。
【００２１】
また、ＩＣタグ１は、以下のプロセスで製造される。
図２に示すように、絶縁性の基板、例えば、ポリイミド基板４表面にＡｌを成膜し、このＡｌ膜を所定の長さ及び幅にエッチングして導電性のアンテナ３を、ポリイミド基板４表面に得る。
そして、この導電性のアンテナ３が形成されたポリイミド基板表面４に、ＩＣチップ２を実装接続した後、ＩＣチップ２及び導電性のアンテナ３を含めてポリイミド基板４の実装面全体をエポキシ熱硬化性樹脂にて封止しこれをＩＣタグ１とする。
【００２２】
＜第２の実施形態＞
図３は本発明の第２の実施形態による手術用ガーゼ２０の構成例を示す概念図である。
この図において、５は例えば３０ｃｍ角の手術用ガーゼであり、６はＩＣタグである。
このＩＣタグ６は、３０ｃｍ角のガーゼ５の一角に設置した後、表及び裏から光硬化性アクリル樹脂により封止されるとともに、ガーゼ５の綿糸に対して固定されている。
そして、ガーゼ５は、上記ＩＣタグ６が固定された後に、脱脂、消毒されることにより手術用ガーゼ２０として製造されることとなる。
【００２３】
ここで、ＩＣタグ６は、非接触ＩＣモジュールであり、図４に示すように、半導体基板、例えばＳｉ基板９表面に集積回路部７と共に非接触通信用の導電性のアンチナ８とが形成されている。
集積回路部７は、通信周波数として、周囲の手術用機器に影響を与えない微弱な出力強度による、２．４５ＧＨｚ周波数帯域のマイクロ波を用いた非接触データ通信用の集積回路である。
【００２４】
次に、図１および図５，６を参照し、本発明の実施形態の動作例を説明する。
図５は、第１及び第２の実施形態による手術用ガーゼを用いた手術用ガーゼの管理装置の構成例を示すブロック図である。図６は、上記手術用ガーゼの管理装置の動作例を示すフローチャートである。
ここで、第１の実施形態の手術用ガーゼ１０を用いて説明するが、第２の実施形態の手術用ガーゼにおいても同様な管理の為の検出処理を行うことができるのは言うまでもない。このため、以下の説明において、手術用ガーゼ１０及び２０を手術用ガーゼ１０とし、ＩＣタグ１及び５を総称してＩＣタグ１とする。
【００２５】
まず、情報書込装置１０１は、手術用ガーゼ１０毎に識別情報（ガーゼ識別情報または集積回路チップの識別情報）、すなわち、手術用ガーゼを各々一意に識別できる情報、例えばシリアルコードを割り当て、各手術用ガーゼと１対１に対応するＩＣチップ２のメモリにこの識別情報を書き込むと共に、記憶部１０３に、順次、各ＩＣチップ２のメモリに書き込まれた識別情報を書き込み、記憶部１０３に対する手術用ガーゼ１０の登録処理を行う（ステップＳ１）。
ここで、ＩＣチップ２のメモリは、例えば、ＥＥＰＲＯＭを使用している。もし、メモリに予め固有の識別情報が記憶されている場合は、上記書込を省略し、それぞれのガーゼの固有の識別情報を手術用ガーゼの識別に用いても良い。
【００２６】
書込を必要とした場合は、次に、情報書込装置１０１は、実際の手術が行われる前に、手術用ガーゼ１０のＩＣタグ１のメモリに、いずれの手術あるいは患者に使用されるかを示す手術情報（手術を識別する手術識別情報、又は患者を識別する患者識別情報の片方か又は両方を含む）を記録するとともに、記憶部１０３において登録されている手術用ガーゼ１０が手術情報に使われるガーゼのＩＤ情報を登録することによって、どの手術にどのガーゼが使用されたかを記録に残す（ステップＳ２）。
【００２７】
上述したように登録された手術用ガーゼ１０が手術に使用され（ステップＳ３）、手術中あるいは手術後に使用した手術用ガーゼ１０が回収される（ステップＳ４）。
そして、情報読取部１００（本発明で云う外部の読取装置あるいは読取手段に対応する）は、回収した手術用ガーゼ１０の識別情報及び／又は手術情報を、ＩＣタグ１のメモリから読み取る（ステップＳ５）。ここで、「及び／又は」は双方またはいずれか一方の意味。
次に、比較部１０２は、用意した手術用ガーゼ１０と、回収した手術用ガーゼ１０とが一致しているか否かのチェック、すなわち、手術前に又は手術開始時に記憶部１０３に登録した手術用ガーゼ１０の識別情報（開始時ガーゼ情報）と回収した全ての手術用ガーゼ１０の各識別情報との照合をとり、さらに必要とされれば、そのガーゼ識別情報と対応して記憶されている手術情報が一致しているか否かの判定を行う（ステップＳ６）。
【００２８】
そして、このとき、比較部１０２は、記憶部１０３に登録している識別情報に、情報読取部１００の読みとった識別情報との対応が検出され、用意した手術用ガーゼ１０が全て回収されたと判定した場合、処理をステップＳ９へ進める。
これにより、手術はほぼ終了し、手術用ガーゼ管理装置の表示画面にすべての手術用ガーゼが回収されたことが表示され、縫合作業が行われ（ステップＳ９）、手術が終了する（ステップＳ１０）。
【００２９】
一方、比較部１０２は、記憶部１０３に登録している識別情報のうち、情報読取部１００の読みとった識別情報と対応していない、すなわち、読みとった識別情報が不足していることにより、未使用で残っている手術用ガーゼの除き、用意したと思われる手術用ガーゼ１０が全て回収されたわけではないと判定した場合（手術用ガーゼ１０の不足を確認）、処理をステップＳ７へ進める。
そして、作業者は、手術用ガーゼ１０が完全に回収されていない可能性が極めて高いことを、手術用ガーゼの管理装置の画面上の表示または光／警報などのアラームによって確認すると、体内（または手術室のいずれか）に存在してはいないかと考え、存在する可能性のある箇所を念入りに探すことにより、未回収の手術用ガーゼを見つけだす処理を行う（ステップＳ７）。
【００３０】
次に、比較部１０２は、再度回収した手術用ガーゼ１０の識別情報及び手術情報のデータを、情報読取部１００から読み取り、不足していた識別情報に対応するか否かの判定を行う（ステップＳ８）。
このとき、比較部１０２は、不足していた識別情報及び／又は手術情報が、再度読み込んだ識別情報及び／又は手術情報との一致を検出した場合、すなわち、使用したと思われる手術用ガーゼ１０が全て回収された場合、処理をステップＳ９へすすめ、縫合作業にかかり（ステップＳ９）、手術が終了する（ステップＳ１０）。
【００３１】
一方、比較部１０２は、不足していた識別情報及び／又は手術情報が、再度読み込んだ識別情報及び／又は手術情報との一致を検出できない場合、すなわち、未だ未回収の手術用ガーゼ１０が存在する可能性が極めて高いことを検出した場合、処理をステップＳ７へすすめ、再度、手術用ガーゼ１０の未回収の分の回収作業を行う（ステップＳ７）。
ここで、手術に用意した手術用ガーゼ１０の未回収分がある場合、すなわち手術に用意した手術用ガーゼ１０が全部は回収できない場合、ステップＳ７からステップＳ８の処理が原則、繰り返される。
【００３２】
本発明の手術用ガーゼ１０（または２０）は、非接触によりデータの記録と読み出しが可能なＩＣチップ２及びアンテナ３を備えた非接触ＩＣモジュールが取り付けてあり、手術に用意した手術用ガーゼ１０（２０）の管理を記憶部１０３を用いて確実に行い、手術中に又は縫合の前までに情報読取部１００が読みとった識別情報と、記憶部１０３に記憶された手術用ガーゼ１０（２０）の識別情報とを比較部１０２が比較することにより、縫合の前までには、使用したと思われる手術用ガーゼ１０（２０）を全て回収されたか否かのしっかりとした判定を行えるため、万一、体内または手術室のいずれかに手術用ガーゼ１０（２０）が残った場合でも、手術がほぼ終了してしまう前、すなわち縫合前に回収し忘れた手術用ガーゼ１０（２０）を、確実に探し回収することが容易に行える効果がある。
【００３３】
また、図６で説明した処理を実現するためのプログラムをコンピュータ読み取り可能な記録媒体に記録して、この記録媒体に記録されたプログラムをコンピュータシステムに読み込ませ、実行することによりプログラムの移植処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可般媒体、コンピュータシステムに内蔵されるハードディスク等の記憶装置のことをいう。
【００３４】
さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３５】
以上、本発明の実施形態を図面を参照して詳述してきたが、具体的な構成はこの実施形態に限られるものではなく、本発明の要旨を逸脱しない範囲の設計変更等があっても本発明に含まれる。
また、上述した第１及び第２の実施形態においては、ＩＣタグ１，６に各々、読み書きが可能なメモリを有するＩＣチップ２，集積回路７を使用していたが、向上出荷時に、手術用ガーゼ１０を識別する識別情報が書き込まれている、すなわちＲＯＭが使用されているものを使用しても良い。
この場合、手術情報を書き込むことが出来ないが、それ以外の動作は図６のフローチャートの各処理と同様に行うことが可能である。
【００３６】
【発明の効果】
本発明の手術用ガーゼ及びその管理装置は、手術用ガーゼ毎に識別情報を付し、各々の手術用ガーゼを管理することが可能となるため、挿入した手術用ガーゼと回収した手術用ガーゼを、確実に照合ができ、その結果を用いて一対一で管理することができ、手術時に人が数を数えるという従来の管理方法と異なり機械検知して、投入した手術用ガーゼの回収が確実に行え、手術時の手術用ガーゼの回収ミスの確実な防止の為に大いに役立つことができる。
【図面の簡単な説明】
【図１】本発明の第１の実施形態による非接触情報記録用モジュール（ＩＣタグ１）を取り付けた手術用ガーゼの概念図である。
【図２】図１のＩＣタグ１の構成例を説明するための概念図である。
【図３】本発明の第２の実施形態による非接触情報記録用モジュール（ＩＣタグ６）を取り付けた手術用ガーゼの概念図である。
【図４】図２のＩＣタグ６の構成例を説明するための概念図である。
【図５】本発明による手術用ガーゼ管理装置の構成を示すブロック図である。
【図６】図５の手術用ガーゼ管理装置による手術用ガーゼの管理の動作例を説明するフローチャートである。
【符号の説明】
１，６　ＩＣタグ
２　ＩＣチップ
３，８　アンテナ（導電性の非接触通信用アンテナ）
４　ポリイミド基板
５　ガーゼ
７　集積回路部
９　シリコン基板
１０，２０　手術用ガーゼ
【図１】
2004121412.tif 000003
【図２】
2004121412.tif 000004
【図３】
2004121412.tif 000005
【図４】
2004121412.tif 000006
【図５】
2004121412.tif 000007
【図６】
2004121412.tif 000008